(57)【要約】【課題】捕虫器において、誘虫ランプ特有の青色光が目視されないようにして、捕虫器の設置を人に認知され難くする。【解決手段】捕虫器１は、誘虫ランプ２と、この誘虫ランプ２を覆い、誘虫ランプ２から照射された光が通る光学フィルタ３と、この誘虫ランプ２により誘引された虫を捕獲する捕虫シート５とを備える。光学フィルタ３は、略３６０ｎｍ以上３７０ｎｍ以下の波長の光の最大透過率が略６０％以上で、且つ、略４００ｎｍ以上４５０ｎｍ以下の波長の光、すなわち青色光の最大透過率が１０％以下の特性を有する。従って、この光学フィルタ３により、誘虫ランプ特有の青色光の光量を低減できるので、青色光が人に目視され難くすることができる。このため、捕虫器１の設置を人に認知され難くすることができる。【選択図】図１
2008154500.tif 000002
【特許請求の範囲】
【請求項１】
虫を誘引する紫外線を含有した光を照射する光源と、前記光源により誘引された虫を捕獲する捕虫手段と、を備えた捕虫器において、
前記光源を覆い、該光源から照射された光が通る光学フィルタを備え、
前記光学フィルタは、略３６０ｎｍ以上３７０ｎｍ以下の波長の光の最大透過率が略６０％以上で、且つ、略４００ｎｍ以上４５０ｎｍ以下の波長の光の最大透過率が１０％以下の特性を有することを特徴とする捕虫器。
【請求項２】
前記光学フィルタには、略４００ｎｍ以上４５０ｎｍ以下の波長の光により励起されて略４５０ｎｍより長波長の可視光又は赤外光を発光する蛍光体が塗布されていることを特徴とする請求項１に記載の捕虫器。
【請求項３】
前記光学フィルタ又は捕虫器の筐体には、前記光源を外部から視認可能とする確認用開口が設けられていることを特徴とする請求項１又は請求項２に記載の捕虫器。
【請求項４】
前記確認用開口には、略３００ｎｍ以上４５０ｎｍ以下の波長の光により励起されて可視光を発光する蛍光体が塗布された透光性部材が設けられていることを特徴とする請求項３に記載の捕虫器。
【発明の詳細な説明】
【技術分野】
【０００１】
本発明は、虫を誘引する紫外線を照射し、誘引された虫を捕獲する捕虫器に関する。
【背景技術】
【０００２】
従来より、捕虫器は、虫が誘引される光を出射する光源、すなわち誘虫ランプを備える。この誘虫ランプは、特に飛翔昆虫を誘引対象としている。図１０は、虫のすう光特性を示す。虫は、略３６０〜３７０ｎｍの波長の光すなわち紫外線に誘引される。このため、誘虫ランプは、紫外線を含有した光を出射するように構成されている。図１１は、一般的な誘虫ランプの出射光の周波数成分を示す。一般的な誘虫ランプの出射光は、紫外線と青色光とを主要成分として含んでいる。このため、例えば飲食店や食品小売店等の清潔さが求められる店舗において、捕虫器を設置した場合、客が、捕虫器から天井や壁等に照射される青色光を視認し、捕虫器の設置に気付くことがある。捕虫器の設置が虫の存在を暗示しているので、客は捕虫器の設置に気付いたとき、不潔な印象を抱くことがある。しかしながら、捕虫器を設置しなかった場合、飛翔昆虫に対する対策を講じることができないので、この場合においても、飛翔昆虫により客が店舗に対して不潔な印象を抱く虞がある。このため、捕虫器には、捕虫性能と捕虫器自体の隠匿性の両立が求められていた。
【０００３】
そこで、誘虫ランプ特有の光色である青色を緩和するため、例えば、ランプカバーの内側に、誘虫ランプと照明ランプとから成る２種類のランプが配置された捕虫装置が知られている（例えば、特許文献１参照）。上記の照明ランプは例えば白色蛍光ランプから成り、白色蛍光ランプから発せられる光は、各色光の成分を含む。ランプカバーは、非透光性材料から成ると共に、上面に開口部を有しており、この開口部から、誘虫ランプの光と白色蛍光ランプの光の合成光が出射される。従って、誘虫ランプ特有の光色である青色が、白色蛍光ランプの可視光により緩和される。このため、人間の目は、ランプカバーから出射された光のうち、特に、照明ランプが発する可視光に反応する。一方、虫は、ランプカバーから出射された光のうち、特に、誘虫ランプから出射された青色光及び紫外線に反応し、ランプカバー内に誘引される。誘引された虫は、ランプカバー内に配置された捕虫シートに捕獲される。
【０００４】
しかしながら、上記の捕虫装置においては、誘虫ランプ及び照明ランプの２種類のランプが設けられており、これらはずらして配置されるので、天井面等の照射面に、誘虫ランプの青色光のみが照射される領域が生じることがあり、その光色により捕虫器があることを人に知られる。
【０００５】
また、上記とは別の捕虫器として、誘虫ランプと、この誘虫ランプの紫外線により蛍光発色可能に形成された蛍光体とを備え、この蛍光体の表面には粘着層が形成された昆虫類捕獲器が知られている（例えば、特許文献２参照）。この捕獲装置においては、蛍光体の表面に粘着層が形成されているので、この粘着層が、誘虫ランプの紫外線により誘引された飛翔昆虫に加えて、蛍光体が発する光に誘われて蛍光体に飛来した飛翔昆虫を捕獲する。しかしながら、本捕獲装置においては、誘虫ランプ特有の青色光が人に視認されて、捕虫器があることを人に知られる。
【特許文献１】特開２００６−１４９２５２号公報
【特許文献２】特開平８−３３４４４号公報
【発明の開示】
【発明が解決しようとする課題】
【０００６】
本発明は、上記の従来の問題を解決するためになされたものであり、誘虫ランプ特有の青色光が目視されないようにして、捕虫器が在ることを人に認知され難くした捕虫器を提供することを目的とする。
【課題を解決するための手段】
【０００７】
上記目的を達成するために請求項１の発明は、虫を誘引する紫外線を含有した光を照射する光源と、前記光源により誘引された虫を捕獲する捕虫手段と、を備えた捕虫器において、前記光源を覆い、該光源から照射された光が通る光学フィルタを備え、前記光学フィルタは、略３６０ｎｍ以上３７０ｎｍ以下の波長の光の最大透過率が略６０％以上で、且つ、略４００ｎｍ以上４５０ｎｍ以下の波長の光の最大透過率が１０％以下の特性を有するものである。
【０００８】
請求項２の発明は、請求項１に記載の捕虫器において、前記光学フィルタには、略４００ｎｍ以上４５０ｎｍ以下の波長の光により励起されて略４５０ｎｍより長波長の可視光又は赤外光を発光する蛍光体が塗布されているものである。
【０００９】
請求項３の発明は、請求項１又は請求項２に記載の捕虫器において、前記光学フィルタ又は捕虫器の筐体には、前記光源を外部から視認可能とする確認用開口が設けられているものである。
【００１０】
請求項４の発明は、請求項３に記載の捕虫器において、前記確認用開口には、略３００ｎｍ以上４５０ｎｍ以下の波長の光により励起されて可視光を発光する蛍光体が塗布された透光性部材が設けられているものである。
【発明の効果】
【００１１】
請求項１の発明によれば、光学フィルタにより、波長が略４００ｎｍ以上４５０ｎｍ以下である青色光の光量を低減できるので、誘虫ランプ特有の青色光が人に目視されないようにできる。従って、捕虫器が在ることを人に認知され難くすることができる。
【００１２】
請求項２の発明によれば、蛍光体が可視光を発光する場合、蛍光体は青色光とは別の色の光を出射するので、捕虫器の照射光の色は、蛍光体の発光色と、光学フィルタによりカットされなかった誘虫ランプ特有の青色光の光色との混色となり、その結果、捕虫器が在ることを人に認知し難くすることができる。また、蛍光体が赤外光を発光する場合、赤外光は目に見えないので好ましい。
【００１３】
請求項３の発明によれば、確認用開口から照射される誘虫ランプの光により、誘虫ランプの点灯／消灯状態が目視で確認できる。このため、誘虫ランプが不点灯状態にあって捕虫器の捕虫性能が落ちていることを早く認知することができる。従って、捕虫器の性能低下を認知したときに誘虫ランプを交換することにより、捕虫性能の維持を図ることができる。
【００１４】
請求項４の発明によれば、蛍光体は青色光により励起されて可視光を発光するものであるため、透光性部材から外部に照射される光を、蛍光体の材料を調整することにより、誘虫ランプ特有の青色光ではなく他の光色の可視光にすることができる。このため、捕虫器が在ることを人に認知され難くしつつ、捕虫性能の維持を図ることができる。
【発明を実施するための最良の形態】
【００１５】
以下、本発明の各種実施形態に係る捕虫器について図面を参照して説明する。
（第１の実施形態）
図１（ａ）（ｂ）は、本発明の第１の実施形態に係る捕虫器の構成を示す。この捕虫器１は、虫が誘引される光を出射する誘虫ランプ２（光源）と、誘虫ランプ２を覆い、蛍光体３１が塗布された光学フィルタ３と、誘虫ランプ２から出射され光学フィルタ３を透過した光を反射する反射鏡４と、誘虫ランプ２により誘引された虫を捕獲する捕虫シート５（捕虫手段）と、誘虫ランプ２、光学フィルタ３、反射鏡４及び捕虫シート５を収納する筐体６と、を備える。誘虫ランプ２は、紫外線が虫を誘引する効果を有するので、紫外線を含有した光を照射する。筐体６は、非透光性の樹脂により形成されており、横長な直方体状である。また、筐体６は、上下方向に二分割可能であり、下部筐体６１と上部筐体６２とで構成されている。上部筐体６２の前面には開口６２ａが形成されている。この捕虫器１は、前方、斜め上方及び斜め下方に光を照射するものであり、背面側が壁面Ｗ等の天井近傍部分に固定される。以下、捕虫器１の各部品の構成を詳述する。
【００１６】
下部筐体６１には誘虫ランプ２が収納されている。下部筐体６１の上面には光出射口６１ａが形成されており、板状の光学フィルタ３がこの光出射口６１ａを塞ぐように配設され、誘虫ランプ２を覆っている。誘虫ランプ２から照射された光はこの光学フィルタ３を通る。また、下部筐体６１の下面には、ランプ交換用開口６１ｂが形成されており、このランプ交換用開口６１ｂに対応して、下部筐体６１に開閉自在に蓋部材６３が取り付けられている。この蓋部材６３は、下部筐体６２及び上部筐体６１と共に筐体６を構成する。蓋部材６３は、閉状態でランプ交換用開口６１ｂを塞ぎ、下部筐体６１の下面からの光漏れを防止する。
【００１７】
上部筐体６２には反射鏡４及び捕虫シート５が収納されている。反射鏡４は、上部筐体６２が下部筐体６１の上部に固定された状態で、光学フィルタ３の上方に配置され、光学フィルタ３を透過した光を反射する。この反射鏡４は、光を捕虫器１の前方に向けて反射するように湾曲している。捕虫シート５は、粘着性を有するものであり、反射鏡４の下方で、且つ、光学フィルタ３の上方に配置されている。捕虫シート５は、例えば、筐体６の前面側と背面側とに、互いに向き合うように１枚ずつ配設されている。これらの捕虫シート５は、筐体６の外側から内側に向けて互いの間隔が狭くなるように傾斜して配設されている。反射鏡４は誘虫ランプ２の光を反射するので、虫はその光に誘引されて飛来し、例えば反射鏡４に衝突して捕虫シート５上に落下する。このようにして、捕虫シート５により虫を捕獲できる。さらに、捕虫シート５は下部筐体６１の上方に在り、誘虫ランプ２は下部筐体６１下面のランプ交換用開口６１ｂから出し入れでき、捕虫シート５と誘虫ランプ２との間には光学フィルタ３が配設されているので、誘虫ランプ２交換時に手が捕虫シート５に接触する虞がない。このため、誘虫ランプ２交換時に手が汚れることを防止でき、誘虫ランプ２の交換を清潔に行なえる。なお、捕虫シート５は、紫外線を透過する透光性部材又は透明部材により構成され、光学フィルタ３の外側に取り付けられていてもよい。
【００１８】
誘虫ランプ２は、例えば蛍光灯形であり、筐体６の横方向すなわち長手方向と平行に、例えば１灯設置される。虫は、誘虫ランプ２による光照射の刺激に反応し、方向性の在る運動をする。そして、虫は捕虫器１に向けて飛翔する。誘虫ランプ２は、不図示のソケットと接続されており、そのソケットは不図示の安定器と電気的に接続されている。安定器は、誘虫ランプ２のランプ電流及び誘虫ランプ２に対する印加電圧の制御を行ない、商用電源から供給された電力に基づいて誘虫ランプ２を点灯制御する。
【００１９】
光学フィルタ３は、誘虫ランプ２から出射された紫外線のうち、略３６０ｎｍ以上３７０ｎｍ以下の波長の光の最大透過率が略６０％以上である特性を有する。さらに、光学フィルタ３は、略４００ｎｍ以上４５０ｎｍ以下の波長の光すなわち青色光の最大透過率が１０％以下である特性を有する。このため、誘虫ランプ２の出射光の主要成分である紫外線及び青色光のうち、青色光の光量を低減することができる。この光学フィルタ３は、３３０ｎｍ、３４０ｎｍ又は３６０ｎｍの波長の紫外線に対する透過率が最大である紫外線透過ガラス（以下、それぞれの紫外線透過ガラスをガラスＵ３３０、Ｕ３４０、Ｕ３６０という）や、ガラスＵ３３０、Ｕ３４０又はＵ３６０を粉末状にし、それらをバインダに混ぜることにより作製された塗料が塗布された樹脂性部材により構成される。上記のバインダの材料は、例えばシリコン等の紫外線透過樹脂であり、樹脂製部材の材料は、例えばアクリルである。
【００２０】
上記のように、光学フィルタ３は青色光の光量を低減するので、誘虫ランプ２から捕虫器１外部に照射される青色光の光量を抑制でき、誘虫ランプ特有の青色光が目視されないようにできる。従って、捕虫器１の設置を人に認知され難くすることができる。このため、捕虫器１を人の上方に配置させ、誘虫ランプ２からの光を捕虫器１の下方に配光した場合においても、捕虫器１の設置を人に認知され難くしつつ、捕虫器１の下方を飛翔している昆虫に対して高い誘引効果を奏することができる。また、従来技術のように２種類のランプを１灯ずつ備える場合、コストが増加すると共に、それぞれのランプの寿命が異なるため交換頻度が増えるので、捕虫器の管理に係る手間が増えるが、捕虫器１はランプの数が１種類で且つ１灯であるので、コストの低減を図ると共に、交換頻度を減らすことができる。このため、捕虫器１の管理に係る手間を減らすことができる。
【００２１】
蛍光体３１は、光学フィルタ３の誘虫ランプ２側に塗布されている。この蛍光体３１は、誘虫ランプ２の出射光のうち、略４００ｎｍ以上４５０ｎｍ以下の波長の光すなわち青色光により励起され、略４５０ｎｍより長波長の可視光又は赤外光を発光する。すなわち、蛍光体３１が可視光を発光する場合、その光色は青色以外の色である。蛍光体３１は、例えば、特許第３７６３７１９号公報に記載の蛍光体で構成される。蛍光体３１により発せられた可視光又は赤外光は、光学フィルタ３を通り、捕虫器１外部に出射される。
【００２２】
蛍光体３１が可視光を発光する場合、蛍光体３１は青色光とは別の色の可視光を出射するので、捕虫器１の照射光の色は、蛍光体３１の発光色と、光学フィルタ３によりカットされなかった誘虫ランプ特有の青色光の光色との混色となる。従って、光学フィルタ３と蛍光体３１とを組み合わせることにより、青色光をより目視し難くすることができる。また、蛍光体３１の材料を調整してその発光色を色調整することにより、捕虫器１の照射光の光色を白色にできる。従って、捕虫器１を一般の照明器具に擬装できる。また、1灯のランプにより、１台の捕虫器１から、可視光と誘虫効果の高いＵＶ−Ａ波（長波長紫外線）等の紫外線とを照射できるので、従来技術のように２灯以上のランプを組み合わせる場合と比べて、照射面の色むらをなくすことができる。さらに、ランプ数が減るので、ランプを制御する安定器の回路構成を簡単にでき、さらに回路素子数を減らすことができる。このため、安定器のコストを抑制できる。従って、捕虫器１のコストを低減できる。一方、蛍光体３１が赤外光を発光する場合、赤外光は目に見えないので好ましい。また、捕虫器１を額や時計等の全く異なる什器に自然な形で偽装できる。
【００２３】
図２は、光学フィルタ３における透過率の周波数特性の一例を示す。同図の縦軸は、最大透過率に対する相対値を示す。光学フィルタ３の透過率は、光の波長が略３００〜４００ｎｍの範囲で山型に変化する。波長が略３００〜４００ｎｍの範囲において、透過率は、光の波長が３００ｎｍから長くなるに連れて増加し、略３６０ｎｍ以上３７０ｎｍ以下である範囲で最大となり、略３７０ｎｍより長くなるに連れて減少する。また、透過率は、略４００ｎｍ以上で零に近くなり、略７８０ｎｍから再度増加する。
【００２４】
図３は、２種類の誘虫ランプ２の光強度スペクトルと、これらの誘虫ランプ２と２種類の光学フィルタ３とを組み合わせたときに、光学フィルタ３から照射される光の光強度スペクトルとを示す。同図の縦軸は、最大光強度に対する相対値を示す。ここで、２種類の誘虫ランプ２のうち、一方を誘虫ランプＬ１といい、他方を誘虫ランプＬ２という。また、２種類の光学フィルタ３のうち、一方は上記のガラスＵ３３０であり、他方は上記のガラスＵ３４０である。
【００２５】
まず、誘虫ランプＬ１とガラスＵ３３０又はガラスＵ３４０とを組み合わせたときの光強度スペクトルについて説明する。誘虫ランプＬ１単体から出射される光の光強度は、波長が略３００〜４００ｎｍの範囲と、略４００〜４１０ｎｍの範囲と、略４３０〜４４０ｎｍの範囲とで山型に変化し、それ以外の波長領域では平らである（破線Ａに示す）。波長が略３００〜４００ｎｍである光には紫外線が含まれており、波長が略４００〜４５０ｎｍである光は青色光であるため、誘虫ランプＬ１の出射光の主要成分は、紫外線及び青色光であるといえる。誘虫ランプＬ１においては、波長が略３５０ｎｍである光の光強度が最大となる。図３においては、この光強度を基準として、他の光の光強度が相対値で表される。
【００２６】
誘虫ランプＬ１とガラスＵ３３０又はガラスＵ３４０（以下、ガラスＵ３３０等という）とを組み合わせた場合、ガラスＵ３３０等から出射される光の光強度は、誘虫ランプＬ１単体の場合と比べて、波長が略４００〜４１０ｎｍである範囲と略４３０〜４４０ｎｍである範囲とで低くなる（実線Ｂ、Ｃで示す）。同範囲における光強度スペクトルは、略平らなものとなる。すなわち、ガラスＵ３３０等により、捕虫器１の照射光うち青色光の光量が抑制される。このため、誘虫ランプ特有の青色光が目視されないようにできる。一方、紫外線領域の光は殆んど減衰されないので、高い誘虫効果を担保できる。
【００２７】
次に、誘虫ランプＬ２とガラスＵ３３０等とを組み合わせたときの光強度スペクトルについて説明する。誘虫ランプＬ２単体から出射される光の光強度は、波長が略３００〜４００ｎｍの範囲と、略４００〜４１０ｎｍの範囲と、略４３０〜４４０ｎｍの範囲とで山型に変化し、それ以外の波長領域では平らである（破線Ｄに示す）。すなわち、誘虫ランプＬ２の出射光の主要成分は、紫外線と青色光である。誘虫ランプＬ２においては、波長が略３６５ｎｍである光の光強度が最大となる。
【００２８】
誘虫ランプＬ２とガラスＵ３３０等とを組み合わせた場合、ガラスＵ３３０等から出射される光の光強度は、誘虫ランプＬ２単体の場合と比べて、波長が略４００〜４１０ｎｍである範囲と略４３０〜４４０ｎｍである範囲とで低くなる（実線Ｅ、Ｆで示す）。この光強度の低下により、同範囲における光強度スペクトルは、略平らなものとなる。すなわち、ガラスＵ３３０等により、捕虫器１の照射光うち青色光の光量が抑制される。このため、上記の組み合わせの場合と同様に、高い誘虫効果を担保しつつ、捕虫器１の設置を人に認知され難くすることができる。
【００２９】
（第２の実施形態）
図４（ａ）（ｂ）は、本発明の第２の実施形態に係る捕虫器１の構成を示す。図面において、同一の部材には同一の符号を付す。本実施形態の捕虫器１は、第１の実施形態と比べ、構成部品の配置が異なり、斜め下方に光を照射するように構成されている。上部筐体６２には、誘虫ランプ２、反射鏡４及び安定器７が収納されている。安定器７は、第１の実施形態における上記の安定器と同一の構成を有する。また、下部筐体６２には、断面視略Ｖ字状の捕虫シート５が固定されている。
【００３０】
上部筐体６２の前面は斜め下方に向けて傾斜しており、この前面には光出射口６２ｂが形成されている。反射鏡４は、誘虫ランプ２の側方を囲うように成形され、前部に開口４ａを有しており、この開口４ａが上部筐体６２の光出射口６２ｂと対応するように配置されている。光出射口６２ｂには、光学フィルタ３がこの光出射口６２ｂを塞ぐように配置されている。誘虫ランプ２の出射光は、直接又は反射鏡４で反射されて光学フィルタ３に到達する。光学フィルタ３を透過した光は、捕虫器１の外部で、且つ、斜め下方に照射される。虫は、捕虫器１の照射光に誘引されて飛来し、上部筐体６２の前面又は光学フィルタ３に衝突して捕虫シート５上に落下する。このようにして、捕虫シート５により虫を捕獲できる。本実施形態においても、第１の実施形態と同じ効果を得ることができる。
【００３１】
（第３の実施形態）
図５（ａ）（ｂ）は、本発明の第３の実施形態に係る捕虫器１の構成を示す。この捕虫器１は、上記第１及び第２の実施形態と比べ、構成部品の配置がさらに異なり、上方に光を照射するように構成されている。筐体６は、横長で、且つ、上面が開口しており、前面部６ａから底面部６ｂにかけて、外側に凸となるような断面視円弧状に湾曲形成されている。底面部６ｂの後端部には、背面部６ｃが垂設されている。筐体６内で、底面部６ｂと背面部６ｃとが交わる付近には、安定器７等の電気回路が収納される収納部６ｄが形成されている。前面部６ａ及び底面部６ｂの内面で、且つ、収納部６ｄが形成された箇所を除いた領域には、その内面に合わせて捕虫シート５が設けられている。収納部６ｄの上面部は略水平であり、背面部６ｃから、背面部６ｃと略９０度の角度を持って延設されている。
【００３２】
また、収納部６ｄ上には、収納部６ｄの上面部と背面部６ｃの形状に対応した断面視略Ｌ字状の反射鏡４が設けられている。さらに、反射鏡４の前方の開口を塞ぐように光学フィルタ３が設けられており、光学フィルタ３の内側には蛍光体３１が塗布されている。光学フィルタ３の形状は、外側に凸となるような断面視円弧状である。光学フィルタ３及び反射鏡４により覆われる空間には、誘虫ランプ２が配置されている。本実施形態においても、第１の実施形態と同じ効果を得ることができる。
【００３３】
（第４の実施形態）
図６（ａ）（ｂ）は、本発明の第４の実施形態に係る捕虫器１の構成を示す。この捕虫器１は、上記第１の実施形態に係る捕虫器１（図１（ａ）（ｂ）参照）の蓋部材６３に、誘虫ランプ２を確認するための確認用開口８が形成されたものである。上記のように、蓋部材６３は、下部筐体６１の下面に設けられたランプ交換用開口６１ｂに対応して、下部筐体６１に開閉自在に取り付けられている。
【００３４】
確認用開口８は、誘虫ランプ２を外部から視認可能とするものであり、その形状は、例えば円状である。確認用開口８の形状は、上記に限定されず、楕円状、矩形状又は多角形状等であってもよい。本実施形態においては、第１の実施形態による効果を奏することができると共に、確認用開口８から照射される誘虫ランプ２の光（破線矢印で示す）により、誘虫ランプ２の点灯／消灯状態が目視で確認できる。このため、誘虫ランプ２が不点灯状態にあって捕虫器１の捕虫性能が落ちていることを早く認知することができる。従って、捕虫器１の性能低下を認知したときに誘虫ランプ２を交換することにより、捕虫性能の維持を図ることができる。
【００３５】
（第５の実施形態）
図７（ａ）乃至（ｄ）は、本発明の第５の実施形態に係る捕虫器１の構成を示す。この捕虫器１は、上記第４の実施形態と比べ、確認用開口８が、上記第２の実施形態に係る捕虫器１（図４（ａ）（ｂ）参照）の光学フィルタ３に形成されている点で異なる。本実施形態においても、第４の実施形態と同じ効果を得ることができる。
【００３６】
（第６の実施形態）
図８（ａ）（ｂ）は、本発明の第６の実施形態に係る捕虫器１の構成を示す。この捕虫器１は、上記第４の実施形態に係る捕虫器１（図６（ａ）（ｂ）参照）の確認用開口８に、透光性部材９が設けられたものである。透光性部材９は、板状であり、例えば透明ガラスや透明樹脂等の透明部材により構成される。この透光性部材９の誘虫ランプ２側には、略３００ｎｍ以上４５０ｎｍ以下の波長の光により励起され、青色以外の色の可視光を発光する蛍光体９１が塗布されている。従って、蛍光体９１は、例えば誘虫ランプ特有の光で、波長が略４００〜４５０ｎｍである青色光（破線矢印で示す）により励起され、可視光を発光する。蛍光体９１発光の可視光（実線矢印で示す）は、透光性部材９を通して、捕虫器１外部に出射される。蛍光体９１の発光量は、誘虫ランプ２の発光量に応じて増減する。
【００３７】
従って、本実施形態においては、第１の実施形態による効果を奏することができると共に、透光性部材９から照射される可視光により、誘虫ランプ２の点灯／消灯状態が目視で確認できる。このため、誘虫ランプ２が不点灯状態にあって捕虫器１の捕虫性能が落ちていることを早く認知することができる。従って、捕虫器１の性能低下を認知したときに虫ランプ２を交換することにより、捕虫性能の維持を図ることができる。また、蛍光体９１の材料を調整することにより、蛍光体９１の発光色を調整することができ、その色を例えば青色以外の色にできる。このため、確認用開口８すなわち透光性部材９から外部に照射される光を、誘虫ランプ特有の青色光ではなく他の光色の可視光にすることができる。その結果、捕虫器１が設置を人に認知され難くしつつ、捕虫性能の維持を図ることができる。
【００３８】
（第７の実施形態）
図９（ａ）乃至（ｄ）は、本発明の第７の実施形態に係る捕虫器１の構成を示す。この捕虫器１は、上記第６の実施形態と比べ、上記第５の実施形態に係る捕虫器１（図７（ａ）乃至（ｄ）参照）の確認用開口８に、透光性部材９が設けられている点で異なる。本実施形態においても、第６の実施形態と同じ効果を得ることができる。
【００３９】
本発明は、上記第１乃至第７の実施形態の構成に限定されるものでなく、使用目的に応じ、様々な変形が可能である。例えば、蛍光体３１、９１は、光学フィルタ３又は透光性部材９の誘虫ランプ２側ではなく、その反対側に塗布されていても構わない。また、蛍光体３１、９１は、同一色の光を発光してもよい。また、蛍光体３１、９１は、同一材料から成るものであっても構わない。
【図面の簡単な説明】
【００４０】
【図１】（ａ）は本発明の第１の実施形態に係る捕虫器の斜視図、（ｂ）はその断面図。
【図２】上記捕虫器の光学フィルタにおける透過率の周波数特性図。
【図３】上記捕虫器における誘虫ランプの出射光の光強度スペクトルと上記光学フィルタ配置時における照射光の光強度スペクトルとを示す図。
【図４】（ａ）は本発明の第２の実施形態に係る捕虫器の斜視図、（ｂ）はその断面図。
【図５】（ａ）は本発明の第３の実施形態に係る捕虫器の斜視図、（ｂ）はその断面図。
【図６】（ａ）は本発明の第４の実施形態に係る捕虫器の断面図、（ｂ）は（ａ）の破線枠Ａ部分の拡大断面図。
【図７】（ａ）は本発明の第５の実施形態に係る捕虫器の斜視図、（ｂ）は（ａ）の破線枠Ｂ部分の拡大斜視図、（ｃ）は同捕虫器の断面図、（ｄ）は（ｃ）の破線枠Ｃ部分の拡大断面図。
【図８】（ａ）は本発明の第６の実施形態に係る捕虫器の断面図、（ｂ）は（ａ）の破線枠Ｄ部分の拡大断面図。
【図９】（ａ）は本発明の第７の実施形態に係る捕虫器の断面図、（ｂ）は（ａ）の破線枠Ｅ部分の拡大断面図。
【図１０】虫のすう光特性図。
【図１１】誘虫ランプの出射光の周波数成分を示す図。
【符号の説明】
【００４１】
１  捕虫器
２  誘虫ランプ（光源）
３  光学フィルタ
３１  蛍光体
５  捕虫シート（捕虫手段）
６  筐体
６１  下部筐体
６２  上部筐体
６３  蓋部材
８  確認用開口
９  透光性部材
９１  蛍光体
【図１】
2008154500.tif 000003
【図２】
2008154500.tif 000004
【図３】
2008154500.tif 000005
【図４】
2008154500.tif 000006
【図５】
2008154500.tif 000007
【図６】
2008154500.tif 000008
【図７】
2008154500.tif 000009
【図８】
2008154500.tif 000010
【図９】
2008154500.tif 000011
【図１０】
2008154500.tif 000012
【図１１】
2008154500.tif 000013